(57)【要約】【課題】手動、電動の如何を問わず、注射器の基本構造を何ら変更することなく、注射器の作動時におけるカートリッジの破損を防止するための有効でしかも簡便な手段を提供する。【解決手段】内部にカートリッジを装着し、先端に注射針を螺着したホールダーを有し、このホールダー内に装着されたカートリッジの基端開口に嵌合されたプランジャーゴムに、プランジャーを押圧してカートリッジ内の注射液を吐出するカートリッジ式注射器において、カートリッジのプランジャーゴム面に当接するプランジャーの先端面に凹面を形成した。【選択図】    なし【特許請求の範囲】
【請求項１】
内部にカートリッジを装着し、先端に注射針を螺着したホールダーを有し、このホールダー内に装着されたカートリッジの基端開口に嵌合されたプランジャーゴムに、プランジャーを押圧してカートリッジ内の注射液を吐出するカートリッジ式注射器において、
カートリッジのプランジャーゴム面に当接するプランジャーの先端面に凹面を形成したカートリッジ式注射器。
【請求項２】
プランジャーの先端面に形成された凹面の中心がプランジャーの軸芯と一致している請求項１に記載のカートリッジ式注射器。
【発明の詳細な説明】
【０００１】
【発明の属する技術分野】
本発明は、注射液を充填したカートリッジを装着する形式の、とくに歯科治療に際して麻酔液等の注射操作を行うのに適した注射器に関する。
【０００２】
【従来の技術】
この種のカートリッジ式注射器は、注射液を治療歯の箇所に注入するに当たって、特許文献１に示されているように、カートリッジに充填された注射液の注入圧と注入量の調整を医師自らの指の力によってプランジャーを調整する手動方式のものと、調整ボタンによってプランジャーの移動を調整する電動方式のものとがある。
【０００３】
図３は、この電動方式によるカートリッジ式注射器の部品構成を示す。同図に示すように、この方式の注射器は、医師が注射に際して保持する本体１と、この本体１の先端の着脱リング１１に取り付けるための装着溝２１を有するカートリッジホルダー２とからなる。そして、注射液を充填したカートリッジ４を装填したホルダー２を、着脱リング１１を介して本体１に取り付けたのち、ホルダー２の針取付用口金２２に注射針３を螺着して、図４に外観を示す注射器１０を組み立てる。そして、本体１の上面に配置した電源、その他各種動作のための操作ボタン１２を操作することによって、本体１の先端に突出可能に配置されたプランジャー１３がホルダー２内に装着されたカートリッジ４の基端に嵌め込まれたプランジャーゴム４１の端面を押し込む。これによって、カートリッジ４内の注射液は注射針３から吐出されて患部に注入される。
【０００４】
【特許文献１】
特開２０００−１０２６０６号公報
【０００５】
【発明が解決しようとする課題】
ところが、通常、カートリッジ４は４０ｋｇ程度の内圧で破損する程度の薄いガラスによって形成されている。そのため、プランジャー１３によるプランジャーゴム４１の端面への押圧が強すぎるとカートリッジ４が破損する事故が発生することがある。
【０００６】
このための対策として、プランジャー１３によるプランジャーゴム４１の押圧力を低減したり、カートリッジを構成するガラスを強化したり、肉厚を大きくすることが考えられる。しかしながら、プランジャー１３による押圧力を低減することは、歯根膜などの緻密組織へ注入する場合、深部までの注射液の注入が困難になる。また、カートリッジを構成するガラスの耐圧強度を改善するために、材質を変えたり、その厚みを大きくすることは、現行のカートリッジホルダー２の基本構造を変更したり、注射液の収納容量を変更する必要を迫られることになる。
【０００７】
本発明の目的は、手動、電動の如何を問わず、注射器の基本構造を何ら変更することなく、注射器の作動時におけるカートリッジの破損を防止するための有効でしかも簡便な手段を提供することにある。
【０００８】
【課題を解決するための手段】
本発明は、内部にカートリッジを装着し、先端に注射針を螺着したホルダーを有し、このホルダー内に装着されたカートリッジの基端開口に嵌合されたプランジャーゴムに、プランジャーを押圧してカートリッジ内の注射液を吐出するカートリッジ式の注射器において、カートリッジのプランジャーゴム面に当接するプランジャーの先端面を凹面に形成したことを特徴とする。
【０００９】
凹面の形態としては、その深さ、断面の大きさ、形状は特定されない。しかし、このプランジャーの先端面に形成した凹面は、カートリッジのプランジャーゴムへのプランジャーの押圧方向のブレによって生じるプランジャーゴムのカートリッジ内面方向への崩れを防止するものであるので、その凹面の中心は、プランジャの軸芯と一致させるのがよい。
【００１０】
【発明の実施の形態】
以下、本発明の実施の形態を歯科用の電動式注射器に適用した実施例に基づいて説明する。
【００１１】
図１は、図４に示す電動式注射器１０の先端部の構造を断面によって示す図である。同図において、１は、前述の図３と図４に示す電動式注射器の本体であり、２は内部にカートリッジ４を装着したホルダーであって、先端にカートリッジ内に収納した注射液を患部に注射する注射針が螺着される。１３は、本体１内の図示しない加圧装置からの押圧力を伝達して、ホルダー２に装着されたカートリッジ４の開口に嵌合されたプランジャーゴム４１の端面を押圧するプランジャーを示す。そして、そのスムーズな移動を保証するために、プランジャー１３と本体の摺動壁面１４との間には、間隙αが設けられている。
【００１２】
かかるプランジャー１３において、従来は、図５（Ｉ）に示されるようにプランジャーゴム４１の端面を押圧する先端面が平坦状１３１となっているか、あるいは僅かな凸面に形成されていた。  これに対して、本発明の場合は、図２（Ｉ）に示される通りプランジャーゴム４１の端面を押圧する先端面が凹面１３２に形成されていることにその特徴がある。
【００１３】
以下、本発明の構成による作用効果を、従来のプランジャーゴムの端面を押圧する先端面を平坦面に形成した場合と対比して説明する。
【００１４】
図５（Ｉ）と（ＩＩ）は従来のプランジャーによる作用とそれによる問題を説明するための図である。図５（Ｉ）に示すように、先端面を平坦１３１または凸面状に形成したプランジャー１３は、矢印方向に前進して先端の平坦面１３１はカートリッジ４のプランジャーゴム４１の端面に当接し、カートリッジ４内にプランジャーゴム４１を押し込み、カートリッジ４内に収納された注射液をカートリッジ４の他端に押し出す。
【００１５】
ところが、プランジャー１３の押圧移動中、図５（ＩＩ）に示すプランジャーゴム４１の崩れ現象を生じることを知見した。これは、本体の摺動壁面１４との間の間隙αによるプランジャー１３の中心軸からの僅かなブレが、矢印ａとして示すように、当接したプランジャーゴム４１の弾力によってカートリッジ４の一側方向に偏る、いわゆる、崩れ現象を生じ、これが、プランジャー１３のブレを増幅し、さらに、崩れ現象を加速してカートリッジ４の内壁に局部的な衝撃を発生し、これがカートリッジ４のガラス壁面を破損することになる。
【００１６】
これに対して、本発明において、プランジャー１３の先端面を凹面１３２に形成することによってかかるプランジャーゴム４１の崩れ現象をなくすことができる。図２（Ｉ）と（ＩＩ）は、本発明による作用効果を説明する図である。同図（Ｉ）に示すように、先端面を凹面１３２に形成したプランジャー１３は、前進してカートリッジ４のプランジャーゴム４１の端面に当接し、カートリッジ４内にプランジャーゴム４１を押し込み、カートリッジ４内に収納された注射液をカートリッジ４の他端に押し出す。
【００１７】
しかしながら、上記従来の場合と違って、この押し出し中のプランジャー１３の押圧過程におけるプランジャーゴム４１のゴムは、図２（ＩＩ）のｂに示すように、凹面に沿って移動する。したがって、本体の摺動壁面１４との間の間隙によってプランジャー１３の押圧方向がブレても、プランジャーゴム４１はプランジャー１の軸方向に移動する傾向を持つようになり、従来のようなゴムの崩れ現象が生じることがない。したがって、従来のようにゴムの崩れ現象によりカートリッジ４のガラス壁面が破損することがない。
【００１８】
【発明の効果】
本発明によって、従来の注射器の基本構造を何ら変更することなく、カートリッジのプランジャーゴムを押圧するプランジャの先端面に凹面を形成するだけで注射器操作中のカートリッジの破壊を防止することができる。
【図面の簡単な説明】
【図１】本発明のプランジャを使用した注射器のカートリッジの装着部分の断面構造を示す図である。
【図２】本発明のプランジャの作用を説明する図である。
【図３】電動式注射器の構成部材を示す図である。
【図４】電動式注射器の外観を示す。
【図５】従来のプランジャの問題を説明する図である。
【符号の説明】
１０  注射器
１    本体
１１  着脱リング      １２  操作ボタン
１３  プランジャー
１３１  従来のプランジャーの先端面
１３２  本発明に係るプランジャーの先端面
１４  摺動壁面
２  カートリッジホルダー
２１  装着溝    ２２  針取付用口金
３  注射針
４  カートリッジ
４１  プランジャーゴム    ４２  ガラス壁
【図１】
2004305281.tif 000002
【図２】
2004305281.tif 000003
【図３】
2004305281.tif 000004
【図４】
2004305281.tif 000005
【図５】
2004305281.tif 000006